(57)【要約】【課題】ＩＤ発信装置と管理システムの間にネットワークを有しないシステムにおいても、設置位置情報の登録を支援可能とするＩＤ発信装置設置位置管理システムを提供する。【解決手段】実際に作業者がＩＤ発信装置１００の設置時やＩＤ発信装置１００の動作確認の際に、ＩＤ発信装置１００から送信されるＩＤ情報を受信可能で、かつ、登録操作を行うことが可能な作業者端末２００を用いることにより、その場で設置位置情報の登録を可能とする。【選択図】図１
2008311840.tif 000002
【特許請求の範囲】
【請求項１】
ＩＤ発信装置の設置位置の座標情報と、前記ＩＤ発信装置が発信するＩＤ情報とを対応付けて設置位置管理データベースに登録するＩＤ発信装置設置位置情報の登録システムであって、
前記ＩＤ発信装置から発信されるＩＤ情報を受信するＩＤ受信手段と、
座標情報を入力する位置情報入力手段と、
地図データを保持する地図データ保持手段と、
前記ＩＤ情報を受信中に前記地図データ上の座標情報が入力されたときに、前記ＩＤ情報と、前記座標情報とを対応付けて前記設置位置管理データベースに登録するＩＤ発信装置位置登録手段と
を備えたことを特徴とするＩＤ発信装置設置位置情報の登録システム。
【請求項２】
ＩＤ発信装置位置登録手段は、ＩＤ情報と座標情報とを設置位置管理データベースに登録する際に、既に同一の前記ＩＤ情報が前記設置位置管理データベースに登録済みであった場合には、新たに位置情報入力手段で入力された座標情報に基づいて登録済みの前記ＩＤ情報の前記座標情報を更新する
請求項１記載のＩＤ発信装置設置位置情報の登録システム。
【請求項３】
位置情報入力手段は、
ＩＤ発信装置の設置位置登録作業を行うユーザが持つ端末に、ＩＤ発信装置の設置位置の座標情報を入力するための座標情報入力ユーザインタフェース画面を提供し、
前記座標情報入力ユーザインタフェース画面として、ＩＤ受信手段が受信したＩＤ情報を表示する受信ＩＤ表示部と、前記ＩＤ発信装置を設置する場所の地図画像を表示する地図表示部とを含む画面を表示させ、
前記ＩＤ発信装置の設置位置座標として前記地図表示部で表示される地図画像上の位置を直接指定する操作に従って、前記地図画像上の座標情報として前記ＩＤ発信装置の設置位置座標の入力を行う
請求項１または請求項２記載のＩＤ発信装置設置位置情報の登録システム。
【請求項４】
位置情報入力手段は、
座標情報入力ユーザインタフェース画面として、ＩＤ受信手段が受信したＩＤ情報を表示する受信ＩＤ表示部と、ＩＤ発信装置を設置する場所の地図画像を表示する地図表示部と、前記ＩＤ発信装置を設置する場所の地図画像を選択する地図選択部とを含む画面を表示させ、
前記地図選択部で選択した地図画像上の座標情報として、前記ＩＤ発信装置の設置位置座標の入力を行う
請求項３記載のＩＤ発信装置設置位置情報の登録システム。
【請求項５】
ＩＤ発信装置の設置位置の座標情報と、前記ＩＤ発信装置が発信するＩＤ情報とを対応付けて設置位置管理データベースに登録するＩＤ発信装置設置位置情報の登録システムであって、
前記ＩＤ発信装置から発信されるＩＤ情報を受信するＩＤ受信手段と、
座標情報を入力する位置情報入力手段と、
地図データを保持する地図データ保持手段と、
前記ＩＤ情報を受信中に前記地図データ上の座標情報が入力されたときに、前記ＩＤ情報と、前記座標情報とを対応付けて前記設置位置管理データベースに登録するＩＤ発信装置位置登録手段と、
既に前記設置位置管理データベースに登録されている前記ＩＤ発信装置の設置位置情報を取得するＩＤ発信装置設置位置情報取得手段と
を備えたことを特徴とするＩＤ発信装置設置位置情報の登録システム。
【請求項６】
ＩＤ発信装置位置登録手段は、ＩＤ情報と座標情報とを設置位置管理データベースに登録する際に、既に同一の前記ＩＤ情報が前記設置位置管理データベースに登録済みであった場合には、新たに位置情報入力手段で入力された座標情報に基づいて登録済みの前記ＩＤ情報の前記座標情報を更新する
請求項５記載のＩＤ発信装置設置位置情報の登録システム。
【請求項７】
位置情報入力手段は、
ＩＤ発信装置の設置位置登録作業を行うユーザが持つ端末に、ＩＤ発信装置の設置位置の座標情報を入力するための座標情報入力ユーザインタフェース画面を提供し、
前記座標情報入力ユーザインタフェース画面として、ＩＤ受信手段が受信したＩＤ情報を表示する受信ＩＤ表示部と、前記ＩＤ発信装置を設置する場所の地図画像を表示する地図表示部とを含む画面を表示させ、
前記ＩＤ発信装置の設置位置座標として前記地図表示部で表示される地図画像上の位置を直接指定する操作に従って、前記地図画像上の座標情報として前記ＩＤ発信装置の設置位置座標の入力を行う
請求項５または請求項６記載のＩＤ発信装置設置位置情報の登録システム。
【請求項８】
位置情報入力手段は、
座標情報入力ユーザインタフェース画面として、ＩＤ受信手段が受信したＩＤ情報を表示する受信ＩＤ表示部と、ＩＤ発信装置を設置する場所の地図画像を表示する地図表示部と、前記ＩＤ発信装置を設置する場所の地図画像を選択する地図選択部とを含む画面を表示させ、
前記地図選択部で選択した地図画像上の座標情報として、前記ＩＤ発信装置の設置位置座標の入力を行う
請求項７記載のＩＤ発信装置設置位置情報の登録システム。
【請求項９】
位置情報入力手段は、座標情報入力ユーザインタフェース画面の地図表示部で地図画像を表示する際に、同一地図画像上に既に登録されているＩＤ発信装置がある場合には、地図画像上に前記ＩＤ発信装置を示すＩＤ発信装置アイコンを設置位置管理データベースに登録されている座標情報に基づいて表示する請求項７または請求項８記載のＩＤ発信装置設置位置情報の登録システム。
【請求項１０】
位置情報入力手段は、座標情報入力ユーザインタフェース画面の受信ＩＤ表示部に、ＩＤ受信手段が受信したＩＤ情報を持つＩＤ発信装置が、設置位置管理データベースに登録されているか否かを表示する請求項７から請求項９のうちのいずれか１項に記載のＩＤ発信装置設置位置情報の登録システム。
【請求項１１】
ＩＤ発信装置の設置位置の座標情報と、前記ＩＤ発信装置が発信するＩＤ情報とを対応付けて設置位置管理データベースに登録するＩＤ発信装置設置位置情報の登録装置であって、
前記ＩＤ発信装置から発信されるＩＤ情報を受信するＩＤ受信手段と、
座標情報を入力する位置情報入力手段と、
地図データを保持する地図データ保持手段と、
前記ＩＤ情報を受信中に前記地図データ上の座標情報が入力されたときに、前記ＩＤ情報と、前記座標情報とを対応付けて前記設置位置管理データベースに登録するＩＤ発信装置位置登録手段と
を備えたことを特徴とするＩＤ発信装置設置位置情報の登録装置。
【請求項１２】
ＩＤ発信装置の設置位置の座標情報と、前記ＩＤ発信装置が発信するＩＤ情報とを対応付けて設置位置管理データベースに登録するＩＤ発信装置設置位置情報の登録装置であって、
前記ＩＤ発信装置から発信されるＩＤ情報を受信するＩＤ受信手段と、
座標情報を入力する位置情報入力手段と、
地図データを保持する地図データ保持手段と、
前記ＩＤ情報を受信中に前記地図データ上の座標情報が入力されたときに、前記ＩＤ情報と、前記座標情報とを対応付けて前記設置位置管理データベースに登録するＩＤ発信装置位置登録手段と、
既に前記設置位置管理データベースに登録されている前記ＩＤ発信装置の設置位置情報を取得するＩＤ発信装置設置位置情報取得手段と
を備えたことを特徴とするＩＤ発信装置設置位置情報の登録装置。
【請求項１３】
ＩＤ発信装置の設置位置の座標情報と、前記ＩＤ発信装置が発信するＩＤ情報とを対応付けて設置位置管理データベースに登録するＩＤ発信装置設置位置情報の登録方法であって、
前記ＩＤ発信装置から発信されるＩＤ情報を受信するＩＤ受信ステップと、
座標情報を入力する位置情報入力ステップと、
前記ＩＤ情報を受信中に、地図データ保持手段に保持される地図データ上の座標情報が入力されたときに、前記ＩＤ情報と、前記座標情報とを対応付けて前記設置位置管理データベースに登録するＩＤ発信装置位置登録ステップと
を含むことを特徴とするＩＤ発信装置設置位置情報の登録方法。
【請求項１４】
ＩＤ発信装置位置登録ステップで、ＩＤ情報と座標情報とを設置位置管理データベースに登録する際に、既に同一の前記ＩＤ情報が前記設置位置管理データベースに登録済みであった場合には、新たに位置情報入力ステップで入力された座標情報に基づいて登録済みの前記ＩＤ情報の前記座標情報を更新する
請求項１３記載のＩＤ発信装置設置位置情報の登録方法。
【請求項１５】
位置情報入力ステップで、
ＩＤ発信装置の設置位置登録作業を行うユーザが持つ端末に、ＩＤ発信装置の設置位置の座標情報を入力するための座標情報入力ユーザインタフェース画面を提供し、
前記座標情報入力ユーザインタフェース画面として、ＩＤ受信ステップで受信したＩＤ情報を表示する受信ＩＤ表示部と、前記ＩＤ発信装置を設置する場所の地図画像を表示する地図表示部とを含む画面を表示させ、
前記ＩＤ発信装置の設置位置座標として前記地図表示部で表示される地図画像上の位置を直接指定する操作に従って、前記地図画像上の座標情報として前記ＩＤ発信装置の設置位置座標の入力を行う
請求項１３または請求項１４記載のＩＤ発信装置設置位置情報の登録システム。
【請求項１６】
位置情報入力ステップで、
座標情報入力ユーザインタフェース画面として、ＩＤ受信ステップで受信したＩＤ情報を表示する受信ＩＤ表示部と、ＩＤ発信装置を設置する場所の地図画像を表示する地図表示部と、前記ＩＤ発信装置を設置する場所の地図画像を選択する地図選択部とを含む画面を表示させ、
前記地図選択部で選択した地図画像上の座標情報として、前記ＩＤ発信装置の設置位置座標の入力を行う
請求項１５記載のＩＤ発信装置設置位置情報の登録方法。
【請求項１７】
ＩＤ発信装置の設置位置の座標情報と、前記ＩＤ発信装置が発信するＩＤ情報とを対応付けて設置位置管理データベースに登録するＩＤ発信装置設置位置情報の登録方法であって、
前記ＩＤ発信装置から発信されるＩＤ情報を受信するＩＤ受信ステップと、
座標情報を入力する位置情報入力ステップと、
前記ＩＤ情報を受信中に地図データ保持手段に保持される地図データ上の座標情報が入力されたときに、前記ＩＤ情報と、前記座標情報とを対応付けて前記設置位置管理データベースに登録するＩＤ発信装置位置登録ステップと、
既に前記設置位置管理データベースに登録されている前記ＩＤ発信装置の設置位置情報を取得するＩＤ発信装置設置位置情報取得ステップと
を含むことを特徴とするＩＤ発信装置設置位置情報の登録方法。
【請求項１８】
ＩＤ発信装置位置登録ステップで、ＩＤ情報と座標情報とを設置位置管理データベースに登録する際に、既に同一の前記ＩＤ情報が前記設置位置管理データベースに登録済みであった場合には、新たに位置情報入力ステップで入力された座標情報に基づいて登録済みの前記ＩＤ情報の前記座標情報を更新する
請求項１７記載のＩＤ発信装置設置位置情報の登録方法。
【請求項１９】
位置情報入力ステップで、
ＩＤ発信装置の設置位置登録作業を行うユーザが持つ端末に、ＩＤ発信装置の設置位置の座標情報を入力するための座標情報入力ユーザインタフェース画面を提供し、
前記座標情報入力ユーザインタフェース画面として、ＩＤ受信ステップで受信したＩＤ情報を表示する受信ＩＤ表示部と、前記ＩＤ発信装置を設置する場所の地図画像を表示する地図表示部とを含む画面を表示させ、
前記ＩＤ発信装置の設置位置座標として前記地図表示部で表示される地図画像上の位置を直接指定する操作に従って、前記地図画像上の座標情報として前記ＩＤ発信装置の設置位置座標の入力を行う
請求項１７または請求項１８記載のＩＤ発信装置設置位置情報の登録方法。
【請求項２０】
位置情報入力ステップで、
座標情報入力ユーザインタフェース画面として、ＩＤ受信ステップで受信したＩＤ情報を表示する受信ＩＤ表示部と、ＩＤ発信装置を設置する場所の地図画像を表示する地図表示部と、前記ＩＤ発信装置を設置する場所の地図画像を選択する地図選択部とを含む画面を表示させ、
前記地図選択部で選択した地図画像上の座標情報として、前記ＩＤ発信装置の設置位置座標の入力を行う
請求項１９記載のＩＤ発信装置設置位置情報の登録方法。
【請求項２１】
位置情報入力ステップで、座標情報入力ユーザインタフェース画面の地図表示部で地図画像を表示する際に、同一地図画像上に既に登録されているＩＤ発信装置がある場合には、地図画像上に前記ＩＤ発信装置を示すＩＤ発信装置アイコンを設置位置管理データベースに登録されている座標情報に基づいて表示する請求項１９または請求項２０記載のＩＤ発信装置設置位置情報の登録方法。
【請求項２２】
位置情報入力ステップで、座標情報入力ユーザインタフェース画面の受信ＩＤ表示部に、ＩＤ受信ステップで受信したＩＤ情報を持つＩＤ発信装置が、設置位置管理データベースに登録されているか否かを表示する請求項１９から請求項２１のうちのいずれか１項に記載のＩＤ発信装置設置位置情報の登録方法。
【請求項２３】
ＩＤ発信装置の設置位置の座標情報と、前記ＩＤ発信装置が発信するＩＤ情報とを対応付けて設置位置管理データベースに登録するためのＩＤ発信装置設置位置情報の登録プログラムであって、
コンピュータに、
前記ＩＤ発信装置から発信されるＩＤ情報を受信するＩＤ受信処理と、
座標情報を入力する位置情報入力処理と、
前記ＩＤ情報を受信中に、地図データ保持手段に保持される地図データ上の座標情報が入力されたときに、前記ＩＤ情報と、前記座標情報とを対応付けて前記設置位置管理データベースに登録するＩＤ発信装置位置登録処理と
を実行させるためのＩＤ発信装置設置位置情報の登録プログラム。
【請求項２４】
ＩＤ発信装置の設置位置の座標情報と、前記ＩＤ発信装置が発信するＩＤ情報とを対応付けて設置位置管理データベースに登録するためのＩＤ発信装置設置位置情報の登録プログラムであって、
コンピュータに、
前記ＩＤ発信装置から発信されるＩＤ情報を受信するＩＤ受信処理と、
座標情報を入力する位置情報入力処理と、
前記ＩＤ情報を受信中に、地図データ保持手段に保持される地図データ上の座標情報が入力されたときに、前記ＩＤ情報と、前記座標情報とを対応付けて前記設置位置管理データベースに登録するＩＤ発信装置位置登録処理と、
既に前記設置位置管理データベースに登録されている前記ＩＤ発信装置の設置位置情報を取得するＩＤ発信装置設置位置情報取得処理と
を実行させるためのＩＤ発信装置設置位置情報の登録プログラム。
【発明の詳細な説明】
【技術分野】
【０００１】
本発明は、ＩＤ発信装置設置位置情報の登録システム、ＩＤ発信装置設置位置情報の登録装置、ＩＤ発信装置設置位置情報の登録方法およびＩＤ発信装置設置位置情報の登録プログラムに関し、特にＩＤ発信装置の設置位置情報をデータベースに登録する際にＩＤ発信装置が発信するＩＤ情報を検出し、端末のモニタ画面に表示されたフロア図面上の位置をマウス操作などで選択することにより、ＩＤ発信装置の設置位置情報をデータベースに登録する作業を支援するＩＤ発信装置設置位置情報の登録システム、ＩＤ発信装置設置位置情報の登録装置、ＩＤ発信装置設置位置情報の登録方法およびＩＤ発信装置設置位置情報の登録プログラムに関する。
【背景技術】
【０００２】
従来、自己を識別するためのＩＤ情報を持ち、かつ、このＩＤ情報を赤外線通信や、ＲＦ−ＩＤ、Ｂｌｕｅｔｏｏｔｈ（登録商標）などにより一定の範囲に送信するＩＤ発信装置を空間に多数設置して置き、携帯電話機などのモバイル端末がＩＤ発信装置から受信したＩＤ情報から、各ＩＤ発信装置の設置位置情報が登録されたデータベースを検索することで、モバイル端末の現在位置を取得することができる測位システムが検討されている。このような測位システムの場合、予めＩＤ発信装置を空間に多数設置しておくと共に、各ＩＤ発信装置の設置位置情報として地図上の座標情報をデータベースに登録しておく作業が必要となる。この登録作業は、設置するＩＤ発信装置の数が多ければ多いほど、作業者にとって非常に大きな負担となっている。
【０００３】
各種機器を空間に設置する際に、その設置位置情報をデータベースに登録する際の作業を支援するシステムの一例が、特許文献１に記載されている。特許文献１に記載されたシステムは、ネットワーク家電の設置位置情報をデータベースに登録する際の作業を支援するシステムであり、未登録のネットワーク家電がホームネットワーク上で検出されると、管理用ＰＣなどの画面上に家電を示すアイコンが表示される。作業者は同画面上に表示されたフロア図上に家電アイコンが実際に設置されている場所と同じ場所に、ＰＣのマウスのドラッグ＆ドロップ操作などで移動させることで、ネットワーク家電の設置位置情報のデータベース登録が完了するというシステムになっている。
【０００４】
また、看板の現況調査と管理を効率化する看板管理システムの一例が、特許文献２に記載されている。特許文献２には、より効率的に看板の現況調査と管理を行えることが記載されている。
【０００５】
【特許文献１】特開２００５−１９８２５２号公報
【特許文献２】特開２００６−２０９６０４号公報
【発明の開示】
【発明が解決しようとする課題】
【０００６】
しかし、特許文献１に記載されたシステムの場合、データベース上に設置位置情報が未登録のネットワーク家電が検出されるのは、ネットワーク家電がホームネットワークに接続された場合であり、設置位置の管理対象となるネットワーク家電と管理システムとの間に何らかのバックボーンネットワークが必要となっている。一方、ＩＤ発信装置を利用した測位システムでは、ＩＤ発信装置はＩＤ情報を一定範囲に単方向通信でブロードキャストするだけで、何らネットワークに接続されていないものが多くあり、そのようなＩＤ発信装置に対しては管理システム上でＩＤ発信装置の接続の有無を検出することが出来ないため、特許文献１に記載の方式を適用することは不可能である。
【０００７】
また、特許文献２に記載されたシステムは、看板が事前に申請された場所に正しく設置されているか否かを確認することを目的としたシステムであり、看板の設置位置情報を保持するデータとして、登録看板データと未登録看板データの２つが必要である。特許文献２に記載されたシステムでは、作業員が現場で受信した看板ＩＤを元に登録看板データを検索し、登録看板データに未登録の場合のみ、未登録看板データに登録するようになっている。
【０００８】
測位システムにおけるＩＤ発信装置の設置位置登録において、特許文献２に記載された方式を適用した場合、個々のＩＤ発信装置に対して事前に設置予定の場所を予め定めたデータを作成し、予定したＩＤ発信装置全てを設置した後に、作業者が定めた場所どおりに設置されているか否かを確認するといった手順を取ることになる。しかし、測位システムの場合、ＩＤ発信装置の設置場所や個数は現場の環境に大きく依存するため、事前に設置予定の場所を定めたデータを作成することは困難である上、その作成作業そのものが作業者に大きな負担となる。つまり、現場で作業者がＩＤ発信装置を設置すると同時にシステムへの登録を行うといった作業手順を取る方が効率的であり、事前データを必要とする作業手順を想定している特許文献２に記載された方式を適用することは難しい。
【０００９】
そこで、本発明は、ＩＤ発信装置と管理システムの間にネットワークを有しないシステムにおいても、事前データを必要としないで、測位システムの構築時におけるＩＤ発信装置の設置位置情報の登録を支援可能とするＩＤ発信装置設置位置情報の登録システム、ＩＤ発信装置設置位置情報の登録装置、ＩＤ発信装置設置位置情報の登録方法およびＩＤ発信装置設置位置情報の登録プログラムを提供することを目的とする。
【課題を解決するための手段】
【００１０】
本発明によるＩＤ発信装置設置位置情報の登録システムは、ＩＤ発信装置の設置位置の座標情報と、ＩＤ発信装置が発信するＩＤ情報とを対応付けて設置位置管理データベースに登録するＩＤ発信装置設置位置情報の登録システムであって、ＩＤ発信装置から発信されるＩＤ情報を受信するＩＤ受信手段と、座標情報を入力する位置情報入力手段と、地図データを保持する地図データ保持手段と、ＩＤ情報を受信中に地図データ上の座標情報が入力されたときに、ＩＤ情報と、座標情報とを対応付けて設置位置管理データベースに登録するＩＤ発信装置位置登録手段とを備えたことを特徴とする。
【００１１】
本発明によるＩＤ発信装置設置位置情報の登録システムの他の態様は、ＩＤ発信装置の設置位置の座標情報と、ＩＤ発信装置が発信するＩＤ情報とを対応付けて設置位置管理データベースに登録するＩＤ発信装置設置位置情報の登録システムであって、ＩＤ発信装置から発信されるＩＤ情報を受信するＩＤ受信手段と、座標情報を入力する位置情報入力手段と、地図データを保持する地図データ保持手段と、ＩＤ情報を受信中に地図データ上の座標情報が入力されたときに、ＩＤ情報と、座標情報とを対応付けて設置位置管理データベースに登録するＩＤ発信装置位置登録手段と、既に設置位置管理データベースに登録されているＩＤ発信装置の設置位置情報を取得するＩＤ発信装置設置位置情報取得手段とを備えたことを特徴とする。
【００１２】
本発明によるＩＤ発信装置設置位置情報の登録装置は、ＩＤ発信装置の設置位置の座標情報と、ＩＤ発信装置が発信するＩＤ情報とを対応付けて設置位置管理データベースに登録するＩＤ発信装置設置位置情報の登録装置であって、ＩＤ発信装置から発信されるＩＤ情報を受信するＩＤ受信手段と、座標情報を入力する位置情報入力手段と、地図データを保持する地図データ保持手段と、ＩＤ情報を受信中に地図データ上の座標情報が入力されたときに、ＩＤ情報と、座標情報とを対応付けて設置位置管理データベースに登録するＩＤ発信装置位置登録手段とを備えたことを特徴とする。
【００１３】
本発明によるＩＤ発信装置設置位置情報の登録装置の他の態様は、ＩＤ発信装置の設置位置の座標情報と、ＩＤ発信装置が発信するＩＤ情報とを対応付けて設置位置管理データベースに登録するＩＤ発信装置設置位置情報の登録装置であって、ＩＤ発信装置から発信されるＩＤ情報を受信するＩＤ受信手段と、座標情報を入力する位置情報入力手段と、地図データを保持する地図データ保持手段と、ＩＤ情報を受信中に地図データ上の座標情報が入力されたときに、ＩＤ情報と、座標情報とを対応付けて設置位置管理データベースに登録するＩＤ発信装置位置登録手段と、既に設置位置管理データベースに登録されているＩＤ発信装置の設置位置情報を取得するＩＤ発信装置設置位置情報取得手段とを備えたことを特徴とする。
【００１４】
本発明によるＩＤ発信装置設置位置情報の登録方法は、ＩＤ発信装置の設置位置の座標情報と、ＩＤ発信装置が発信するＩＤ情報とを対応付けて設置位置管理データベースに登録するＩＤ発信装置設置位置情報の登録方法であって、ＩＤ発信装置から発信されるＩＤ情報を受信するＩＤ受信ステップと、座標情報を入力する位置情報入力ステップと、ＩＤ情報を受信中に、地図データ保持手段に保持される地図データ上の座標情報が入力されたときに、ＩＤ情報と、座標情報とを対応付けて設置位置管理データベースに登録するＩＤ発信装置位置登録ステップとを含むことを特徴とする。
【００１５】
本発明によるＩＤ発信装置設置位置情報の登録方法の他の態様は、ＩＤ発信装置の設置位置の座標情報と、ＩＤ発信装置が発信するＩＤ情報とを対応付けて設置位置管理データベースに登録するＩＤ発信装置設置位置情報の登録方法であって、ＩＤ発信装置から発信されるＩＤ情報を受信するＩＤ受信ステップと、座標情報を入力する位置情報入力ステップと、ＩＤ情報を受信中に地図データ保持手段に保持される地図データ上の座標情報が入力されたときに、ＩＤ情報と、座標情報とを対応付けて設置位置管理データベースに登録するＩＤ発信装置位置登録ステップと、既に設置位置管理データベースに登録されているＩＤ発信装置の設置位置情報を取得するＩＤ発信装置設置位置情報取得ステップとを含むことを特徴とする。
【００１６】
本発明によるＩＤ発信装置設置位置情報の登録プログラムは、ＩＤ発信装置の設置位置の座標情報と、ＩＤ発信装置が発信するＩＤ情報とを対応付けて設置位置管理データベースに登録するためのＩＤ発信装置設置位置情報の登録プログラムであって、コンピュータに、ＩＤ発信装置から発信されるＩＤ情報を受信するＩＤ受信処理と、座標情報を入力する位置情報入力処理と、ＩＤ情報を受信中に、地図データ保持手段に保持される地図データ上の座標情報が入力されたときに、ＩＤ情報と、座標情報とを対応付けて設置位置管理データベースに登録するＩＤ発信装置位置登録処理とを実行させることを特徴とする。
【００１７】
本発明によるＩＤ発信装置設置位置情報の登録プログラムの他の態様は、ＩＤ発信装置の設置位置の座標情報と、ＩＤ発信装置が発信するＩＤ情報とを対応付けて設置位置管理データベースに登録するためのＩＤ発信装置設置位置情報の登録プログラムであって、コンピュータに、ＩＤ発信装置から発信されるＩＤ情報を受信するＩＤ受信処理と、座標情報を入力する位置情報入力処理と、ＩＤ情報を受信中に、地図データ保持手段に保持される地図データ上の座標情報が入力されたときに、ＩＤ情報と、座標情報とを対応付けて設置位置管理データベースに登録するＩＤ発信装置位置登録処理と、既に設置位置管理データベースに登録されているＩＤ発信装置の設置位置情報を取得するＩＤ発信装置設置位置情報取得処理とを実行させることを特徴とする。
【００１８】
上記課題を解決するための第１の発明は、ＩＤ発信装置の設置位置の座標情報と、前記ＩＤ発信装置が発信するＩＤ情報とを紐付けて設置位置管理データベースに登録する方法であって、前記ＩＤ発信装置から発信されるＩＤ情報を受信するＩＤ取得手段と、座標情報を入力する位置情報入力手段と、地図データを保持する地図データ保持手段と前記ＩＤ情報を受信中に前記地図データ上の座標情報が入力されたときに、前記ＩＤ情報と、前記座標情報とを紐付けて前記設置位置管理データベースに登録するＩＤ発信装置位置登録手段と、を備えることを特徴とする。
【００１９】
上記課題を解決するための第２の発明は、上記第１の発明において、前記ＩＤ発信装置設置位置情報の登録方法は、前記ＩＤ情報と前記座標情報とを前記設置位置管理データベースに登録する際に、既に同一の前記ＩＤ情報が前記設置位置管理データベースに登録済みであった場合は、新たに前記位置情報入力手段で入力された座標情報に基づいて登録済みの前記ＩＤ情報の前記座標情報を更新することを特徴とする。
【００２０】
上記課題を解決するための第３の発明は、上記第１又は第２の発明の何れかにおいて、前記位置情報入力手段は、前記ＩＤ発信装置の設置位置登録作業を行うユーザが持つ端末に、ＩＤ発信装置の設置位置の座標情報を入力するための座標情報入力ユーザインタフェース画面を提供し、前記座標情報入力ユーザインタフェース画面は、前記ＩＤ取得手段で取得した前記ＩＤ情報を表示する受信ＩＤ表示部と、前記ＩＤ発信装置を設置する場所の地図画像を表示する地図表示部とで構成され、前記ＩＤ発信装置の設置位置座標を前記地図表示部で表示される地図画像上の位置を直接指定することにより、前記地図画像上の座標情報として前記ＩＤ発信装置の設置位置座標の入力を行うことを特徴とする。
【００２１】
上記課題を解決するための第４の発明は、上記第３の発明において、前記座標情報入力ユーザインタフェース画面は、前記ＩＤ取得手段で取得した前記ＩＤ情報を表示する受信ＩＤ表示部と、前記ＩＤ発信装置を設置する場所の地図画像を表示する地図表示部と、前記ＩＤ発信装置を設置する場所の地図画像を選択する地図選択部とで構成され、前記地図選択部で選択した地図画像上の座標情報として、前記ＩＤ発信装置の設置位置座標の入力を行うことを特徴とする。
【００２２】
上記課題を解決するための第５の発明は、ＩＤ発信装置の設置位置の座標情報と、前記ＩＤ発信装置が発信するＩＤ情報とを紐付けて設置位置管理データベースに登録する方法であって、前記ＩＤ発信装置から発信されるＩＤ情報を受信するＩＤ取得手段と、座標情報を入力する位置情報入力手段と、地図データを保持する地図データ保持手段と前記ＩＤ情報を受信中に前記地図データ上の座標情報が入力されたときに、前記ＩＤ情報と、前記座標情報とを紐付けて前記設置位置管理データベースに登録するＩＤ発信装置位置登録手段と、既に前記データベースに登録されている前記ＩＤ発信装置の設置位置情報を取得するＩＤ発信装置設置位置情報取得手段と、を備えることを特徴とする。
【００２３】
上記課題を解決するための第６の発明は、上記第５の発明において、前記ＩＤ発信装置設置位置情報の登録方法は、前記ＩＤ情報と前記座標情報とを前記設置位置管理データベースに登録する際に、既に同一の前記ＩＤ情報が前記設置位置管理データベースに登録済みであった場合は、新たに前記位置情報入力手段で入力された座標情報に基づいて登録済みの前記ＩＤ情報の前記座標情報を更新することを特徴とする。
【００２４】
上記課題を解決するための第７の発明は、上記第５又は上記第６の何れかの発明において、前記位置情報入力手段は、前記ＩＤ発信装置の設置位置登録作業を行うユーザが持つ端末に、ＩＤ発信装置の設置位置の座標情報を入力するための座標情報入力ユーザインタフェース画面を提供し、前記座標情報入力ユーザインタフェース画面は、前記ＩＤ取得手段で取得した前記ＩＤ情報を表示する受信ＩＤ表示部と、前記ＩＤ発信装置を設置する場所の地図画像を表示する地図表示部とで構成され、前記ＩＤ発信装置の設置位置座標を前記地図表示部で表示される地図画像上の位置を直接指定することにより、前記地図画像上の座標情報として前記ＩＤ発信装置の設置位置座標の入力を行うことを特徴とする。
【００２５】
上記課題を解決するための第８の発明は、上記第７の発明において、前記座標情報入力ユーザインタフェース画面は、前記ＩＤ取得手段で取得した前記ＩＤ情報を表示する受信ＩＤ表示部と、前記ＩＤ発信装置を設置する場所の地図画像を表示する地図表示部と、前記ＩＤ発信装置を設置する場所の地図画像を選択する地図選択部とで構成され、前記地図選択部で選択した地図画像上の座標情報として、前記ＩＤ発信装置の設置位置座標の入力を行うことを特徴とする。
【００２６】
上記課題を解決するための第９の発明は、上記第７から第８の何れかの発明において、前記ＩＤ発信装置設置位置情報の登録方法は、既に前記データベースに登録されている前記ＩＤ発信装置の設置位置情報を取得するＩＤ発信装置設置位置情報取得手段を備え、前記座標情報入力ユーザインタフェース画面の前記地図表示部で地図画像を表示する際に、同一地図画像上に既に登録されている前記ＩＤ発信装置がある場合には、前記地図表示部の地図画像上に前記ＩＤ発信装置を示すＩＤ発信装置アイコンをデータベースに登録されている座標情報に基づいて表示することを特徴とする。
【００２７】
上記課題を解決するための第１０の発明は、上記第７から第９の何れかの発明において、前記ＩＤ発信装置設置位置情報の登録方法は、既に前記データベースに登録されている前記ＩＤ発信装置の設置位置情報を取得するＩＤ発信装置設置位置情報取得手段を備え、前記ＩＤ取得手段で取得した前記ＩＤ情報を持つ前記ＩＤ発信装置が、前記データベースに登録されているか否かを前記ユーザインタフェース画面の前記ＩＤ表示部に表示することを特徴とする。
【発明の効果】
【００２８】
本発明によれば、ＩＤ発信装置と管理システムの間にネットワークを有しない測位システムなどにおいても、事前データを必要とすることなく、ＩＤ発信装置の設置位置情報の登録作業を支援することが可能となる。
【発明を実施するための最良の形態】
【００２９】
以下、本発明の実施例について図面を参照して説明する。
【００３０】
実施例１．
まず、本発明の第１の実施例について説明する。図１は、本発明によるＩＤ発信装置設置位置情報の登録システムの全体構成の一例を示すブロック図である。
【００３１】
図１に示す例では、ＩＤ発信装置設置位置管理システム（ＩＤ発信装置設置位置情報の登録システム）は、赤外線通信やＢｌｕｅｔｏｏｔｈにより無線信号を用いて、一定の範囲に固有のＩＤ信号をブロードキャストする複数のＩＤ発信装置１００−１，１００−２，１００−３と、ＩＤ発信装置１００−１，１００−２，１００−３の設置位置を登録する際に作業者が使用する１つまたは複数の作業者端末２００と、無線ネットワーク４００を介して作業者端末２００と通信可能な設置位置管理サーバ３００とを備える。
【００３２】
尚、以下では、図１で複数示されているＩＤ発信装置１００−１，１００−２，１００−３についてはＩＤ発信装置１００を用いて説明する。例えば、ＩＤ発信装置１００−１，１００−２，１００−３を包括的に指す場合、または、ＩＤ発信装置１００−１，１００−２，１００−３のいずれかを指す場合に、ＩＤ発信装置１００と表記する場合がある。また、本実施例では、ＩＤ発信装置１００が３つである場合を示すが、３つに限らず、例えば４以上であってもよい。
【００３３】
図２は、作業者端末２００と設置位置管理サーバ３００の構成例を示すブロック図である。作業者端末２００は、例えば、プログラムに従って動作する携帯電話機等の情報処理端末によって実現される。作業者端末２００は、ＩＤ発信装置１００から送信されるＩＤ情報を受信するＩＤ取得部２１０と、作業者にＩＤ発信装置１００の設置位置情報入力の為のユーザインタフェースを提供する位置情報入力部２２０とを含む。
【００３４】
また、設置位置管理サーバ３００は、例えば、プログラムに従って動作するパーソナルコンピュータ等の情報処理端末によって実現される。設置位置管理サーバ３００は、ＩＤ発信装置１００の設置位置登録を実行する設置位置登録部３１０と、ＩＤ発信装置１００の設置位置情報を記録する設置位置管理データベース部３２０と、地図データを保持する地図データ保持部３３０とを含む。
【００３５】
尚、図１及び図２に示す構成例では、作業者端末２００と設置位置管理サーバ３００とは異なるマシン（情報処理端末）上にあり、無線ネットワーク４００で接続される場合を示したが、有線ネットワークで接続されてもよいものとする。また、必ずしも作業者端末２００と設置位置管理サーバ３００とを物理的に異なるマシン上に構成する必要はなく、作業者端末２００内に設置位置管理サーバ３００の機能を保持する場合も考えられる。
【００３６】
図３は、設置位置管理データベース部３２０が記憶する情報の例を示す説明図である。図３に例を示すとおり、設置位置管理データベース部３２０は、各ＩＤ発信装置１００の設置位置情報として、各ＩＤ発信装置が送信するＩＤ情報３２０−１と、各ＩＤ発信装置の設置位置情報である座標情報３２０−２とを含む情報を記憶する。
【００３７】
尚、設置位置管理データベース部３２０は、図３に例を示すとおり、各ＩＤ発信装置が送信するＩＤ情報３２０−１をデータベースのユニークなキーとして、エントリ３２１−１，３２１−２，３２１−３のような形式で座標情報をＩＤ情報に対応付けて登録する。
【００３８】
図４は、位置情報入力部２２０が作業者端末２００のユーザ（作業者）に提供するユーザインタフェース画面２２１の例を示す説明図である。図４に示す例では、ＩＤ取得部２１０で受信中のＩＤ情報が存在する場合に、そのＩＤ情報を表示する受信ＩＤ表示部２２１−１と、地図データを表示する地図表示部２２１−２とを有する。なお、具体的には、作業者端末２００が、図４に示すユーザインタフェース画面２２１を表示する。また、ユーザインタフェース画面を提供するとは、ユーザインタフェース画面２２１を作業者端末２００に表示させることをいう。
【００３９】
なお、ＩＤ発信装置設置位置情報の登録システムは、コンピュータで実現可能であり、ＩＤ発信装置設置位置情報の登録システムを構成する各構成要素、すなわち、ＩＤ取得部２１０、設置位置情報入力部２２０および設置位置登録部３１０は、コンピュータの処理装置（ＣＰＵ）に上述した機能を実現させるためのプログラムとして実現可能である。例えば、ＩＤ発信装置設置位置情報の登録システムを、１つの情報処理端末を用いて実現する場合、情報処理端末の記憶装置は、コンピュータに、ＩＤ発信装置から発信されるＩＤ情報を受信するＩＤ受信処理と、座標情報を入力する位置情報入力処理と、ＩＤ情報を受信中に、地図データ保持手段に保持される地図データ上の座標情報が入力されたときに、ＩＤ情報と、座標情報とを対応付けて設置位置管理データベースに登録するＩＤ発信装置位置登録処理とを実行させ、ＩＤ発信装置位置登録処理で、ＩＤ情報と座標情報とを設置位置管理データベースに登録する際に、既に同一のＩＤ情報が設置位置管理データベースに登録済みであった場合には、新たに位置情報入力処理で入力された座標情報に基づいて登録済みのＩＤ情報の座標情報を更新する処理を実行させるためのＩＤ発信装置設置位置情報の登録プログラムを記憶している。
【００４０】
図５は、第１の実施例におけるＩＤ発信装置設置位置情報の登録システムの処理を示すフローチャートである。図５に示すフローチャートとユーザインタフェース画面２２１の構成例（図４）を参照して、本実施例の動作について説明する。
【００４１】
まず、登録作業を開始する際に、作業者端末２００は、作業者（ユーザ）の操作に従って起動し、位置情報入力部２２０で提供されるユーザインタフェース画面２２１を表示する（ステップＳ１）。すると、位置情報入力部２２０は、地図データ保持部３３０に地図データを要求して（ステップＳ２）、地図データを取得（受信）し（ステップＳ３）、地図表示部２２１−２に表示する（ステップＳ４）。
【００４２】
具体的には、位置情報入力部２２０は、地図データの送信要求を、無線ネットワーク４００を介して設置位置管理サーバ３００に送信する。設置位置管理サーバ３００は、位置情報入力部２２０からの要求に応じて、地図データ保持部３３０から地図データを抽出する。そして、設置位置管理サーバ３００は、抽出した地図データを、無線ネットワーク４００を介して位置情報入力部２２０に送信する。
【００４３】
次に、作業者が作業者端末２００を携帯し、実際にＩＤ発信装置１００が設置された場所に移動すると、各ＩＤ発信装置１００は、ＩＤ情報を作業者端末２００のＩＤ取得部２１０に送信する（ステップＳ５）。各ＩＤ発信装置１００から送信されるＩＤ情報を作業者端末２００のＩＤ取得部２１０が受信すると（ステップＳ６）、ＩＤ取得部２１０は、位置情報入力部２２０に、受信したＩＤ情報を通知（出力）する（ステップＳ７）。すると、位置情報入力部２２０は、ユーザインタフェース画面２２１の受信ＩＤ表示部２２１−１に、受信したＩＤ情報を表示する（ステップＳ８）。
【００４４】
図６は、ユーザインタフェース画面２２１における操作の例を示す説明図である。作業者は、受信ＩＤ表示部２２１−１に表示されたＩＤ情報を確認した後に、図６に示すように、作業者端末２００のマウスやスタイラス、タッチパネルなどを用いたポインティング操作により、このＩＤ発信装置１００の設置位置を登録する場所を地図表示部２２１−２に直接入力する（ステップＳ９）。
【００４５】
すると、位置情報入力部２２０は、その地図上の座標位置を検出し、図７に示す確認表示画面２２１−３を表示する（ステップＳ１０）。図７は、確認表示画面の例を示す説明図である。
【００４６】
作業者が入力した位置を確認した後に確認表示画面２２１−３の「Ｙｅｓ」を選択することで、位置情報入力部２２０は、ステップＳ９で作業者が入力した座標情報を設置位置情報として決定する（ステップＳ１１）。
【００４７】
次に、位置情報入力部２２０は、ステップＳ１１で決定した座標情報をＩＤ発信装置１００の新規設置位置情報としてＩＤ情報、座標情報を設置位置登録部３１０に通知する（ステップＳ１２）。具体的には、位置情報入力部２２０は、新規設置位置情報を、無線ネットワーク４００を介して設置位置登録部３１０に送信する。設置位置登録部３１０は、ステップＳ１２で通知された情報に基づいて、設置位置管理データベース部３２０に新しいＩＤ発信装置１００の設置位置情報を追加して記憶させる（ステップＳ１３）。尚、ステップＳ１３において、ＩＤ情報を設置位置管理データベース部３２０に登録する際に、既に同一のＩＤ情報を持つエントリが登録されていた場合には、設置位置登録部３１０は、新たにエントリを追加するのではなく、そのＩＤ情報のエントリを、ステップＳ１３で通知された情報に基づいて更新する。
【００４８】
変形例１．
次に、ＩＤ発信装置１００の設置位置を登録する地図データが複数ある場合について、第１の実施例の変形例１として説明する。
【００４９】
前述の第１の実施例では、ＩＤ発信装置１００の設置位置を登録する地図データは１つであることを前提に説明したが、実際には複数の地図データが存在する場合も考えられる。
【００５０】
図８は、設置位置管理データベース部３２０が記憶する情報の他の例を示す説明図である。複数の地図データが存在する場合には、設置位置管理データベース部３２０は、図８に示すとおり、各ＩＤ発信装置１００をどの地図データ上の位置として登録したかを識別するためのパラメータとして、地図データ情報３２０−３をＩＤ情報に対応付けて記憶することが新たに必要となる。
【００５１】
図８に示す例では、地図データ情報３２０−３に地図データのファイル名を登録した場合を示しているが、ファイル名に限らず、地図データの保管場所を示すＵＲＬ情報など、地図データを特定できる情報であれば登録可能とする。
【００５２】
また、地図データが複数存在する場合には、作業者にＩＤ発信装置１００の設置位置を登録する際に、地図データを選択可能とする必要がある。そのため、図９に示すように、ユーザインタフェース画面２２１にプルダウンメニューなどで地図データを選択可能とする地図選択部２２１−４が必要となる。図９は、ユーザインタフェース画面２２１の例を示す説明図である。なお、具体的には、作業者端末２００が、図９に示すユーザインタフェース画面２２１を表示する。
【００５３】
次に、本変形例における全体の動作について、図１０に示すフローチャートを用いて説明する。図１０は、第１の実施例の変形例におけるＩＤ発信装置設置位置情報の登録システムの処理の一例を示すフローチャートである。尚、図５に示した第１の実施例における動作と同一の部分については、同一符号を付してその説明を省略する。
【００５４】
図１０に示すとおり、本変形例においては、作業者端末２００は、作業者の操作に従って起動して、ユーザインタフェース画面２２１を表示した後（ステップＳ１）、地図データ保持部３３０が保持する地図データリスト（地図ファイル名など地図データを特定可能な情報のリスト）を、位置情報入力部２２０が地図データ保持部３３０に要求する（ステップＳ１−１）。
【００５５】
具体的には、位置情報入力部２２０は、地図データリストの送信要求を、無線ネットワーク４００を介して設置位置管理サーバ３００に送信する。設置位置管理サーバ３００は、位置情報入力部２２０からの要求に応じて、地図データ保持部３３０から地図データリストを抽出する。そして、設置位置管理サーバ３００は、抽出した地図データリストを、無線ネットワーク４００を介して位置情報入力部２２０に送信する。
【００５６】
そして、位置情報入力部２２０は、地図データリストを取得（受信）し（ステップＳ１−２）、例えば、ユーザインタフェース画面２２１の地図選択部２２１−４のプルダウンメニューなどに地図データ情報のリストを登録する（ステップＳ１−３）。また、位置情報入力部２２０は、登録内容に従って、地図データ情報のリストを含むユーザインタフェース画面２２１を表示する。
【００５７】
そして、作業者が、ステップＳ１−４において、地図選択部２２１−４からＩＤ発信装置１００の設置位置情報の登録作業を行う地図データを地図選択部２２１−４の地図データリストの中から選択することで、位置情報入力部２２０は、地図データ保持部３３０から地図データを取得（受信）し、地図表示部２２１−２に選択した地図データを表示する。
【００５８】
これ以降の処理については、ステップＳ１１及びステップＳ１２で、地図データを特定するための地図データ情報が、通知（送信）される情報に追加される部分以外は、図５で示した処理と同一である。
【００５９】
以上の本変形例で示した構成により、地図データが複数存在する場合においても、作業者は、ＩＤ発信装置１００の設置位置座標を登録する地図データを選択して、登録することが可能となる。
【００６０】
次に、第１の実施例およびその変形例１の効果について説明する。以上に説明した第１の実施例およびその変形例１によれば、バックボーンネットワークを有しないＩＤ発信装置１００の設置位置情報を登録する場合においても、実際に作業者がＩＤ発信装置１００の設置時やＩＤ発信装置１００の動作確認の際に、ＩＤ発信装置１００から送信されるＩＤ情報を受信可能で、かつ、登録操作を行うことが可能な作業者端末２００を用いることにより、その場で設置位置情報の登録が可能となる。また、事前データを必要とすることなく、設置位置情報を登録することができる。
【００６１】
また、本発明によれば、作業者端末２００から登録要求を行った場合、設置位置管理データベース部３２０に登録されているデータと同一のデータとして登録される。例えば、登録済みのレコードと同一のＩＤ情報の登録要求があった場合、そのレコードが更新される。
【００６２】
実施例２．
次に第２の実施例について図面を参照して説明する。
【００６３】
特許文献２に記載された方式では、作業員が看板のＲＦＩＤから取得した看板ＩＤに基づいて、看板登録データベースを検索する。そして、その検索結果に基づいて、その看板ＩＤを未登録看板データベースに登録するか否かを判断する。
【００６４】
ここで、検索結果として得られる情報は、実際に設置されている看板の設置位置情報ではなく、事前の申請情報に基づいて作成された設置位置予定情報である。また、検索結果として、受信したＲＦＩＤの看板ＩＤに対応した、看板の設置位置予定情報のみが得られる。そのため、特許文献２に記載された方式をＩＤ発信装置の設置位置情報の登録作業に適用したとしても、作業者は、作業途中で現在地周辺や特定エリアにおけるＩＤ発信装置の設置位置情報の登録状況を確認することができない。
【００６５】
また、ＩＤ発信装置の場合、看板とは異なり、個々のＩＤ発信装置の形状は基本的には同一である。そのため、どれが登録済みで、どれが未登録であるかということを作業者が記憶しておくことは困難であり、登録状況を忘れた場合には、再び１つ１つのＩＤ発信装置の設置場所に移動して個々のＩＤを受信し、確認して回るといった作業を行う必要がある。特に、複数の作業者が同時に登録作業を行う場合には、各々の登録の進捗状況を確認することができないため、無駄な作業がより多く発生してしまう。
【００６６】
そこで、第２の実施例では、作業者の現在位置周辺におけるＩＤ発信装置の設置位置情報の登録状況を確認可能なＩＤ発信装置設置位置情報の登録システムを提供することで、登録作業を効率化できるようにする。
【００６７】
図１１は、第２の実施例における設置位置管理サーバ３００の構成例を示すブロック図である。尚、先に説明した第１の実施例と同一の機能を持つ部分については、同一名称及び同一符号を付してその説明を省略する。図１１に示すとおり、第２の実施例では、既に設置されているＩＤ発信装置１００の設置位置情報を取得（受信）する設置位置取得部３４０が追加されている点が、第１の実施例と異なる部分である。
【００６８】
また、図１２は、第２の実施例において、位置情報入力部２２０が作業者端末２００のユーザ（作業者）に提供するユーザインタフェース画面２２１の例を示す説明図である。尚、第１の実施例と同一の部分は同一符号を付して、その説明を省略する。
【００６９】
図１２に示すとおり、第２の実施例では、受信中のＩＤ情報が表示される受信ＩＤ表示部２２１−１−２に、位置情報入力部２２０は、そのＩＤ情報が設置位置管理データベース部３２０に既に登録されているか否かを示す情報を追加して表示する。
【００７０】
図１２に示す例では、位置情報入力部２２０は、設置位置管理データベース部３２０に登録されていないＩＤ情報を受信した場合には、「未登録」と表示する。また、図示しないが、位置情報入力部２２０は、設置位置管理データベース部３２０に既に登録されているＩＤ情報を受信した場合には、「登録済み」と表示する。
【００７１】
また、第２の実施例では、位置情報入力部２２０は、地図表示部２２１−２上に、既に表示中の地図上に登録されているＩＤ発信装置１００が存在した場合に、そのＩＤ発信装置１００を示すＩＤ発信装置アイコン２２１−４−１，２２１−４−２，２２１−４−３を、設置位置管理データベース部３２０に登録されている各ＩＤ発信装置１００の座標情報３２０−２に基づいて表示する。
【００７２】
次に、図面を参照して、第２の実施例における全体の動作について説明する。図１３は、第２の実施例におけるＩＤ発信装置設置位置情報の登録システムの処理の一例を示すフローチャートである。図１３のフローチャートに第２の実施例における全体動作を示す。尚、図５に示した第１の実施例における動作と同一の部分については、同一符号を付してその説明を省略する。
【００７３】
図１３に示すとおり、第２の実施例においては、位置情報入力部２２０は、ステップＳ３の後に、設置位置取得部３４０に対して、既に登録済みのＩＤ情報を要求する（ステップＳ３−１）。要求を受けた設置位置取得部３４０は、設置位置管理データベース部３２０を検索し（ステップＳ３−２）、登録済みの設置位置情報を取得（受信）し（ステップＳ３−３）、ＩＤ情報および座標情報を位置情報入力部３１０に返す（ステップＳ３−４）。なお、設置位置情報を取得するとは、具体的には、設置位置管理データベース部３２０から設置位置情報を抽出することをいう。
【００７４】
具体的には、位置情報入力部２２０は、登録済みのＩＤ情報の送信要求を、無線ネットワーク４００を介して設置位置管理サーバ３００に送信する。設置位置取得部３４０は、位置情報入力部２２０からの要求に応じて、設置位置管理データベース部３２０から登録済みの設置位置情報を抽出する。そして、設置位置取得部３４０は、抽出した登録済みの設置位置情報を、無線ネットワーク４００を介して位置情報入力部２２０に送信する。
【００７５】
次に、位置情報入力部２２０は、ステップＳ３−３において地図表示を行う際に登録済みのＩＤ発信装置１００があった場合には、図１２に示すように、ＩＤ発信装置アイコン２２１−４−１，２２１−４−２，２２１−４−３を、ステップＳ３−４で得られた結果に基づいて表示する。
【００７６】
また、第２の実施例においては、ステップＳ７においてＩＤ取得部２１０からＩＤ情報の通知を受けた位置情報入力部２２０は、設置位置取得部３４０に対して、そのＩＤ情報が設置位置管理データベース部３２０に既に登録されているか否かを確認する確認要求を送信する（ステップＳ７−１）。
【００７７】
設置位置取得部３４０は、確認要求を受け付け（ステップＳ７−２）、設置位置管理データベース部３２０を検索する（ステップＳ７−３）。ここで、設置位置取得部３４０は、該当するＩＤ情報の設置位置情報を取得（受信）できた場合にはＩＤ情報が登録されていたことを示す応答を位置情報入力部２２０に返す。また、設置位置情報が未登録であった場合には未登録であることを示す応答を位置情報入力部２２０に返す（ステップＳ７−４）。
【００７８】
次に、位置情報入力部２２０は、ステップＳ８において、ユーザインタフェース画面２２１の受信ＩＤ表示部２２１−１−２にＩＤ情報を表示する際に、ステップＳ７−４で得られた応答結果に基づいて、受信中のＩＤ情報と共に「未登録」または「登録済み」の何れかの情報を表示する。
【００７９】
ここで、第１の実施例の変形例１で示したように、地図データが複数ある場合で、ＩＤ取得部２１０が受信したＩＤ情報が、表示中の地図データとは異なる地図上に登録済みであった場合は、ポップアップ表示などで、他の地図データに登録済みであることを示す画面が表示される。また、同画面上にあるメニューから、作業者が地図表示部２２１−２に表示する地図データを、そのＩＤ情報が登録されている地図データに切替えるか否かを選択可能とする。
【００８０】
尚、以降のステップＳ８からステップＳ１３の処理については、第１の実施例と同一となるので説明を省略する。
【００８１】
次に、第２の実施例の効果について説明する。以上に説明したように、第２の実施例では、作業者（ユーザ）が既に登録したＩＤ発信装置１００を確認した上で、新たにＩＤを受信したＩＤ発信装置１００の設置位置情報の登録が可能となる。また、受信したＩＤ情報が既に登録済みのものであるかどうかを確認可能とすることで、作業者が多数のＩＤ情報を登録しているうちにどのＩＤ情報を登録したかどうかを忘れてしまい、同一のＩＤ情報を何度も登録してしまうといった無駄な作業が発生することを防ぐことが可能となる。また、複数の作業者が同時に登録作業を行う場合であっても、各々の登録の進捗状況を確認することができる。すなわち、第２の実施例によれば、登録作業をより効率化することができるという効果がある。
【００８２】
なお、上記に示した各実施例では、以下の（１）〜（１０）に示すようなＩＤ発信装置設置位置情報の登録システムの特徴的構成が示されている。
【００８３】
（１）ＩＤ発信装置（例えば、ＩＤ発信装置１００によって実現される）の設置位置の座標情報と、ＩＤ発信装置が発信するＩＤ情報とを対応付けて設置位置管理データベース（例えば、設置位置管理データベース部３２０によって実現される）に登録するＩＤ発信装置設置位置情報の登録システムであって、ＩＤ発信装置から発信されるＩＤ情報を受信するＩＤ受信手段（例えば、ＩＤ取得部２１０によって実現される）と、座標情報を入力する位置情報入力手段（例えば、位置情報入力部２２０によって実現される）と、地図データを保持する地図データ保持手段（例えば、地図データ保持部３３０によって実現される）と、ＩＤ情報を受信中に地図データ上の座標情報が入力されたときに、ＩＤ情報と、座標情報とを対応付けて設置位置管理データベースに登録するＩＤ発信装置位置登録手段（例えば、設置位置登録部３１０によって実現される）とを備えたことを特徴とする。
【００８４】
（２）ＩＤ発信装置位置登録手段は、ＩＤ情報と座標情報とを設置位置管理データベースに登録する際に、既に同一のＩＤ情報が設置位置管理データベースに登録済みであった場合には、新たに位置情報入力手段で入力された座標情報に基づいて登録済みのＩＤ情報の座標情報を更新するように構成されていてもよい。
【００８５】
（３）位置情報入力手段は、ＩＤ発信装置の設置位置登録作業を行うユーザが持つ端末に、ＩＤ発信装置の設置位置の座標情報を入力するための座標情報入力ユーザインタフェース画面を提供し、座標情報入力ユーザインタフェース画面として、ＩＤ受信手段が受信したＩＤ情報を表示する受信ＩＤ表示部と、ＩＤ発信装置を設置する場所の地図画像を表示する地図表示部とを含む画面を表示させ、ＩＤ発信装置の設置位置座標として地図表示部で表示される地図画像上の位置を直接指定する操作に従って、地図画像上の座標情報としてＩＤ発信装置の設置位置座標の入力を行うように構成されていてもよい。
【００８６】
（４）位置情報入力手段は、座標情報入力ユーザインタフェース画面として、ＩＤ受信手段が受信したＩＤ情報を表示する受信ＩＤ表示部と、ＩＤ発信装置を設置する場所の地図画像を表示する地図表示部と、ＩＤ発信装置を設置する場所の地図画像を選択する地図選択部とを含む画面を表示させ、地図選択部で選択した地図画像上の座標情報として、ＩＤ発信装置の設置位置座標の入力を行うように構成されていてもよい。
【００８７】
（５）ＩＤ発信装置の設置位置の座標情報と、ＩＤ発信装置が発信するＩＤ情報とを対応付けて設置位置管理データベースに登録するＩＤ発信装置設置位置情報の登録システムであって、ＩＤ発信装置から発信されるＩＤ情報を受信するＩＤ受信手段と、座標情報を入力する位置情報入力手段と、地図データを保持する地図データ保持手段と、ＩＤ情報を受信中に地図データ上の座標情報が入力されたときに、ＩＤ情報と、座標情報とを対応付けて設置位置管理データベースに登録するＩＤ発信装置位置登録手段と、既に設置位置管理データベースに登録されているＩＤ発信装置の設置位置情報を取得するＩＤ発信装置設置位置情報取得手段（例えば、設置位置取得部３４０によって実現される）とを備えたことを特徴とする。
【００８８】
（６）ＩＤ発信装置位置登録手段は、ＩＤ情報と座標情報とを設置位置管理データベースに登録する際に、既に同一のＩＤ情報が設置位置管理データベースに登録済みであった場合には、新たに位置情報入力手段で入力された座標情報に基づいて登録済みのＩＤ情報の座標情報を更新するように構成されていてもよい。
【００８９】
（７）位置情報入力手段は、ＩＤ発信装置の設置位置登録作業を行うユーザが持つ端末に、ＩＤ発信装置の設置位置の座標情報を入力するための座標情報入力ユーザインタフェース画面を提供し、座標情報入力ユーザインタフェース画面として、ＩＤ受信手段が受信したＩＤ情報を表示する受信ＩＤ表示部と、ＩＤ発信装置を設置する場所の地図画像を表示する地図表示部とを含む画面を表示させ、ＩＤ発信装置の設置位置座標として地図表示部で表示される地図画像上の位置を直接指定する操作に従って、地図画像上の座標情報としてＩＤ発信装置の設置位置座標の入力を行うように構成されていてもよい。
【００９０】
（８）位置情報入力手段は、座標情報入力ユーザインタフェース画面として、ＩＤ受信手段が受信したＩＤ情報を表示する受信ＩＤ表示部と、ＩＤ発信装置を設置する場所の地図画像を表示する地図表示部と、ＩＤ発信装置を設置する場所の地図画像を選択する地図選択部とを含む画面を表示させ、地図選択部で選択した地図画像上の座標情報として、ＩＤ発信装置の設置位置座標の入力を行うように構成されていてもよい。
【００９１】
（９）位置情報入力手段は、座標情報入力ユーザインタフェース画面の地図表示部で地図画像を表示する際に、同一地図画像上に既に登録されているＩＤ発信装置がある場合には、地図画像上にＩＤ発信装置を示すＩＤ発信装置アイコンを設置位置管理データベースに登録されている座標情報に基づいて表示するように構成されていてもよい。
【００９２】
（１０）位置情報入力手段は、座標情報入力ユーザインタフェース画面の受信ＩＤ表示部に、ＩＤ受信手段が受信したＩＤ情報を持つＩＤ発信装置が、設置位置管理データベースに登録されているか否かを表示するように構成されていてもよい。
【産業上の利用可能性】
【００９３】
本発明によれば、自己を識別するためのＩＤ情報を持ち、かつ、このＩＤ情報を赤外線や、ＲＦ−ＩＤ、Ｂｌｕｅｔｏｏｔｈなどにより一定の範囲に送信するＩＤ発信装置を空間に多数設置して置き、携帯電話などのモバイル端末がＩＤ発信装置から受信したＩＤ情報から、各ＩＤ発信装置の設置位置情報が登録されたデータベースを検索することで、モバイル端末の現在位置を取得する測位システムにおいて、各ＩＤ発信装置の設置位置情報をデータベースに登録する際の作業を支援する目的に適用することができる。
【図面の簡単な説明】
【００９４】
【図１】本発明によるＩＤ発信装置設置位置情報の登録システムの全体構成の一例を示すブロック図である。
【図２】作業者端末と設置位置管理サーバの構成例を示すブロック図である。
【図３】設置位置管理データベース部が記憶する情報の例を示す説明図である。
【図４】位置情報入力部が作業者端末のユーザに提供するユーザインタフェース画面の例を示す説明図である。
【図５】第１の実施例におけるＩＤ発信装置設置位置情報の登録システムの処理を示すフローチャートである。
【図６】ユーザインタフェース画面における操作の例を示す説明図である。
【図７】確認表示画面の例を示す説明図である。
【図８】設置位置管理データベース部が記憶する情報の他の例を示す説明図である。
【図９】ユーザインタフェース画面の例を示す説明図である。
【図１０】第１の実施例の変形例におけるＩＤ発信装置設置位置情報の登録システムの処理の一例を示すフローチャートである。
【図１１】第２の実施例における設置位置管理サーバの構成例を示すブロック図である。
【図１２】第２の実施例において位置情報入力部が作業者端末のユーザに提供するユーザインタフェース画面の例を示す説明図である。
【図１３】第２の実施例におけるＩＤ発信装置設置位置情報の登録システムの処理の一例を示すフローチャートである。
【符号の説明】
【００９５】
１００−１，１００−２，１００−３    ＩＤ発信装置
２００    作業者端末
３００    設置位置管理サーバ
４００    無線ネットワーク
【図１】
2008311840.tif 000003
【図２】
2008311840.tif 000004
【図３】
2008311840.tif 000005
【図４】
2008311840.tif 000006
【図５】
2008311840.tif 000007
【図６】
2008311840.tif 000008
【図７】
2008311840.tif 000009
【図８】
2008311840.tif 000010
【図９】
2008311840.tif 000011
【図１０】
2008311840.tif 000012
【図１１】
2008311840.tif 000013
【図１２】
2008311840.tif 000014
【図１３】
2008311840.tif 000015